【事件の表示】
　商願２０００−３０４０拒絶査定に対する審判事件について、次のとおり審決する。
【結　論】
　原査定を取り消す。
　本願商標は、登録すべきものとする。
【理　由】
１　本願商標
　本願商標は、別掲のとおりの構成よりなり、第３０類「菓子及びパン，コーヒー及びココア，コーヒー豆，茶，調味料，香辛料，食品香料（精油のものを除く。），米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，即席菓子のもと，アイスクリームのもと，シャーベットのもと，アーモンドペースト，イーストパウダー，こうじ，酵母，ペーキングパウダー，氷，アイスクリーム用凝固剤，家庭用食肉軟化剤，ホイップクリーム用安定剤，酒かす」を指定商品として、平成１２年１月１９日登録出願、その後、指定商品については、平成１３年１月２２日付け手続補正書により「菓子及びパン」と減縮補正されたものである。
　
２　原査定の引用商標
　原査定において、本願商標が商標法第４条第１項第１１号に該当するとして、拒絶の理由に引用した登録第６７９８７号商標（以下、「引用１商標」という。）は、別掲のとおりの構成よりなり、第４５類「罐詰及他類ニ属セサル食料品加味品一切、但シ芥子、胡しよう、「カレー」粉、鳥獣、魚貝、蔬菜ノ罐詰、含窒素澱粉、滋養食料品ヲ除ク、但し、納豆及びこれの類似品を除く」を指定商品として、大正２年１２月６日登録出願、同３３年９月１８日設定登録、その後、昭和９年２月１４日、同２９年３月３１日、同５０年１月２８日、同６０年５月１５日、平成７年３月３０日の５回に亘り商標権の存続期間の更新登録がされ、現に有効に存続しているものである。
　同じく登録第１２３６２０８号商標（以下、「引用２商標」という。）は、「太陽」の文字を縦書きしてなり、第３３類「穀物（米、麦を除く）豆粉類（麦粉を除く）」を指定商品として、昭和４８年１２月１９日登録出願、同５１年１１月２２日設定登録、その後、昭和６２年１月２２日及び平成９年１月３０日の２回に亘り商標権の存続期間の更新登録がされ、現に有効に存続しているものである。
　同じく登録第１２８２２０９号商標（以下、「引用３商標」という。）は、「ＭＡＲＣＨＥ」の文字と「マルシェ」の文字を横書きしてなり、第３２類「食肉、その他本類に属する商品」を指定商品として、昭和４９年２月１４日登録出願、同５２年７月８日設定登録、その後、昭和６２年９月１８日及び平成９年７月１５日の２回に亘り商標権の存続期間の更新登録がされ、現に有効に存続しているものである。
　同じく登録第１８６７２４６号商標（以下、「引用４商標」という。）は、「マルシェ」の文字を横書きしてなり、第３１類「調味料、香辛料、食用油脂、乳製品」を指定商品として、昭和５８年１１月３０日登録出願、同６１年６月２７日設定登録、その後、平成８年１０月３０日に商標権の存続期間の更新登録がされ、現に有効に存続しているものである。
　同じく登録第１８８６１４３号商標（以下、「引用５商標」という。）は、別掲のとおりの構成よりなり、第３３類「穀物、豆、その他本類に属する商品」を指定商品として、昭和５８年２月１９日登録出願、同６１年８月２８日設定登録、その後、平成９年１月３０日に商標権の存続期間の更新登録がされ、現に有効に存続しているものである。
　同じく登録第１９９９０９１号商標（以下、「引用６商標」という。）は、別掲のとおりの構成よりなり、第３３類「食肉、卵、その他本類に属する商品」を指定商品として、昭和５８年２月１９日登録出願、同６２年１１月２０日設定登録、その後、平成９年１２月２日に商標権の存続期間の更新登録がされ、現に有効に存続しているものである。
　同じく登録第２００７４２６号商標（以下、「引用７商標」という。）は、別掲のとおりの構成よりなり、第２９類「まこもより製した茶」を指定商品として、昭和５７年５月２４日登録出願、同６２年１２月１８日設定登録、その後、平成９年１２月１６日に商標権の存続期間の更新登録がされ、現に有効に存続しているものである。
　同じく登録第２２６８６６６号商標（以下、「引用８商標」という。）は、「太陽」の文字を縦書きしてなり、第３３類「穀物、粉類、飼料」を指定商品として、昭和６３年６月２７日登録出願、平成２年９月２１日設定登録、その後、平成１２年６月２０日に商標権の存続期間の更新登録がされ、現に有効に存続しているものである。
　同じく登録第２３１１８６５号商標（以下、「引用９商標」という。）は、別掲のとおりの構成よりなり、第３０類「菓子、パン」を指定商品として、昭和６３年５月２０日登録出願、平成３年６月２８日設定登録、その後、平成１３年１月２３日に商標権の存続期間の更新登録がされ、現に有効に存続しているものである。
　同じく登録第２６３６６６６号商標（以下、「引用１０商標」という。）は、「太陽」の文字を縦書きしてなり、第３２類「加工穀物」を指定商品として、昭和６３年６月２７日登録出願、平成６年３月３１日に設定登録されたものである。
　同じく登録第２６９２１７０号商標（以下、「引用１１商標」という。）は、「太陽」の文字を横書きしてなり、第３０類「アイスクリーム、その他本類に属する商品」を指定商品として、平成４年３月２７７日登録出願、同６年８月３１日に設定登録されたものである。
　同じく登録第４２６８４８８号商標（以下、「引用１２商標」という。）は、「太陽」の文字（標準文字による）を横書きしてなり、第３２類「清涼飲料，果実飲料，乳清飲料，ビール製造用ホップエキス」を指定商品として、平成９年６月２３日登録出願、同１１年４月３０日に設定登録されたものである。
　
３　当審の判断
　本願商標の指定商品を前記１のとおり減縮補正した結果、本願商標の指定商品と引用１商標、引用２商標、引用３商標、引用４商標、引用５商標、引用６商標、引用７商標、引用８商標、引用１０商標及び引用１２商標の指定商品とは、非類似の商品となったものである。
　そこで、本願商標と引用９商標及び引用１１商標の類否について判断すると、外観においては、商標の構成がそれぞれ記載のとおりであり、本願商標と両引用商標とは、明確な差異を有するから、互いに区別し得るものである。
　次に、称呼についてみると、本願商標は、別掲のとおりの構成よりなるところ、その構成各文字は、同一文字を同書、同大、等間隔に書し、外観上まとまりよく一体に表現されていて、しかも、全体として「太陽の市場」の意味合いを連想させ、該意味合いに相応して一連に称呼してもよどみなく称呼し得るものであり、むしろ構成全体をもって一体不可分のものとして、一種の造語として認識し把握されるとみるのが自然である。
　そうとすれば、本願商標は、その構成文字である「太陽のマルシェ」の文字に相応して「タイヨウノマルシェ」の称呼のみを生ずるものと判断するのが相当である。
　他方、引用９商標は、別掲のとおりの構成よりなるところ、その構成文字である「ユーハイムマルシェ」の文字部分より、「ユーハイムマルシェ」及び「マルシェ」の称呼を生ずるものと認められる。引用１１商標は、「太陽」の文字を横書きしてなり、これよりは、該文字に相応して、「タイヨウ」の称呼を生ずること明らかである。
　そこで、本願商標より生ずる「タイヨウノマルシェ」の称呼と引用９商標及び引用１１商標より生ずる「ユーハイムマルシェ」及び「タイヨウ」の称呼とを比較すると、両者はその音数、構成音において著しい差異を有するものであるから、両商標は、称呼上互いに相紛れるおそれのないものである。
　さらに、観念についてみると、本願商標よりは、前記のとおり、「太陽の市場」の意味合いを想起させるものであるのに対し、引用９商標よりは、これを構成する文字が、特定の意味合いを有しない造語と認められ、また、引用１１商標よりは、「太陽系の中心をなす天体で、恒星の一つである太陽」の観念が生ずるものと認められるから、本願商標と両引用商標とは、観念において、相違することが明らかである。
　したがって、本願商標と引用９商標及び引用１１商標とは、その外観、称呼及び観念のいずれの点より見ても互いに相紛れるおそれのない非類似の商標といわなければならない。
　以上のとおりであるから、本願商標を商標法第４条第１項第１１号に該当するとして拒絶した原査定は、取り消すべきである。
　その他、本願について拒絶の理由を発見しない。
　よって、結論のとおり審決する。